(57)【要約】      （修正有）【課題】正確な位置調整のための容易に調整可能な角度的インデクシングを実現しつつ、密封されセキュアな外側部品のアセンブリーを達成する。【解決手段】外側サブアセンブリーは、第１の部品と第２の部品を有し、２つのリム部と２つのウィング部の間のバヨネット取り付けによって保持されるように構成しており、第１の部品と第２の部品の組み立てられインデクシングされた位置を占めることができる。このサブアセンブリーは、リングの形態の第３の部品３０を有する。これは、第１と第２部品の間に挿入され、第１の部品又は第２の部品の溝内に収容されたリング状の要素３１を有し、この第３の部品３０は、第１の部品又は第２の部品に対する回転止め３３、３４と、及び角度的インデクシング構成を形成するように第３の部品３０に対して自由に回転することができる第１の部品又は第２の部品の突起と連係する半径方向のリリーフを備えた弾性領域３２とを有する。【選択図】図１
2018017725.tif 000002
【特許請求の範囲】
【請求項１】
計時器、腕時計又は装飾品のための外側サブアセンブリー（１００）であって、
第１の裾部（６）から突き出ており第１の凹部と交互構成になっているリム部（２）を有する第１の部品（１）と、及び第２の裾部（１１）から突き出ており第２の凹部と交互構成になっているウィング部（１２）を有する第２の部品（１０）とを有し、
当該外側サブアセンブリーは、挿入前の分解された第１の位置と、及び組み立てられロックされた第２の位置とを占めるように構成しており、
前記第１の位置においては、前記第１の部品（１）と第２の部品（１０）は、互いに対して第１の角度的な向きを有し、
前記第２の位置においては、前記第１の部品（１）と前記第２の部品（１０）は、互いに対して前記第１の角度的な向きと異なる第２の角度的な向きを有し、かつ、少なくとも２つの前記リム部（２）と少なくとも２つの前記ウィング部（１２）の間でバヨネット取り付けによって軸方向に保持され、
当該外側サブアセンブリー（１０）は、前記第１の部品（１）と前記第２の部品（１０）の間に挿入されるリングの形態の少なくとも１つの第３の部品（３０）を有し、
前記第３の部品（３０）は、少なくとも第１の部品（１）又は第２の部品（１０）に形成された溝（１３１）内に収容されたリング状の要素（３１）を有し、
前記第３の部品（３０）は、前記第１の部品（１）又は前記第２の部品（１０）に対する少なくとも１つの回転止め（３３、３４）と、及び少なくとも１つの半径方向に凹んでいる又は半径方向に突き出ている弾性領域（３２）とを有し、
前記弾性領域（３２）は、前記溝へと進む平面において、角度的インデクシング及びロック構成を形成するように、前記第３の部品（３０）に対して自由に回転することができる前記第１の部品（１）又は前記第２の部品（１０）に形成された突起又はハウジングと連係するように構成している
ことを特徴とする外側サブアセンブリー（１００）。
【請求項２】
前記挿入前の分解された第１の位置において、前記第１の部品（１）と前記第２の部品（１０）は、互いに対して第１の角度的な向きを有し、かつ、磁気的反発手段及び／又は少なくとも１つの弾性要素及び／又は少なくとも１つの密封用ガスケット（９）を有する反発手段によって互いから離れるように維持され、
前記組み立てられロックされた第２の位置において、前記第１の部品（１）と前記第２の部品（１０）は、前記反発手段によって与えられる抵抗力に対抗して軸方向に保持される
ことを特徴とする請求項１に記載の外側サブアセンブリー（１００）。
【請求項３】
前記反発手段は、少なくとも１つの密封用ガスケット（９）を有する
ことを特徴とする請求項２に記載の外側サブアセンブリー（１００）。
【請求項４】
前記反発手段は、少なくとも１つの密封用ガスケット（９）を有し、
前記リム部（２）は、前記第１の裾部（６）から半径方向内側に突き出ており、
前記ウィング部（１２）は、前記第２の裾部（１１）から半径方向外側に突き出ており、
リング状の前記第３の部品（３０）は、前記第１の部品（１）と前記第２の部品（１０）の間で半径方向に挿入されるように構成している
ことを特徴とする請求項３に記載の外側サブアセンブリー（１００）。
【請求項５】
前記第３の部品（３０）は、前記第１の部品（１）又は前記第２の部品（１０）に対して回転するように固定され、
前記弾性領域（３２）は、前記第１の部品（１）と前記第２の部品（１０）の間のあらゆる相対的な接線方向のトルクに対抗する可変モーメントの抵抗性トルクを与え、
前記突起又は前記ハウジングが前記弾性領域（３２）を通過すると、前記第１の部品（１）と前記第２の部品（１０）の間の相対的な回転運動に抵抗する傾向がある抵抗性トルクが発生し、
少なくとも１つの前記弾性領域（３２）は、前記第１の部品（１）と前記第２の部品（１０）の間の相対的な角度的インデクシングのために構成している
ことを特徴とする請求項１に記載の外側サブアセンブリー（１００）。
【請求項６】
前記突起（１３２）は、前記溝（１３１）内に付加され、
前記溝（１３１）は、前記軸（Ｄ）に対して軸対称である
ことを特徴とする請求項１に記載の外側サブアセンブリー（１００）。
【請求項７】
前記溝（１３１）は、逆の構成になっている前記突起（１３２）又は前記ハウジングを直接有する
ことを特徴とする請求項１に記載の外側サブアセンブリー（１００）。
【請求項８】
前記リング状の要素（３１）は、弾性要素である
ことを特徴とする請求項１に記載の外側サブアセンブリー（１００）。
【請求項９】
前記第２の部品（１０）には、前記第３の部品（３０）が備える前記回転止め（３３、３４）を形成する少なくとも１つの足部用止めハウジング（１３３、１３４）がある
ことを特徴とする請求項１に記載の外側サブアセンブリー（１００）。
【請求項１０】
前記第３の部品（３０）は、対応する２つの前記止めハウジング（１３３、１３４）と連係するように構成している２つの前記回転止め（３３、３４）を有し、
これらの回転止め（３３、３４）の間の空間は、張っていない状態の前記回転止め（３３、３４）間の空間とは異なり、
これによって、前記リング状の要素（３１）が設置されているときに前記リング状の要素（３１）に応力を与える
ことを特徴とする請求項９に記載の外側サブアセンブリー（１００）。
【請求項１１】
前記溝（１３１）が形成された前記部品及び／又は前記リング状の要素（３１）は、当該外側サブアセンブリー（１００）の分解の際に、摩擦抵抗力に対抗するように構成している摩擦面を有する
ことを特徴とする請求項１に記載の外側サブアセンブリー（１００）。
【請求項１２】
前記第３の部品（３０）は、少なくとも１つの変形可能な領域において、複数の弾性領域が（３２）前記相補的なリリーフ（１８）に対抗するように連続性の抵抗を与えるように構成している
ことを特徴とする請求項１に記載の外側サブアセンブリー（１００）。
【請求項１３】
同じ前記変形可能な領域において、前記連続的な弾性領域（３２）は、前記相補的なリリーフ（１８）に対する抵抗を増加させるように構成している
ことを特徴とする請求項１２に記載の外側サブアセンブリー（１００）。
【請求項１４】
前記第１の部品（１）は、ケース中間部であり、前記第２の部品（１０）は、ケース裏部である
ことを特徴とする請求項１に記載の外側サブアセンブリー（１００）。
【請求項１５】
前記第１の部品（１）は、ケース中間部であり、前記第２の部品（１０）は、フランジ又はベゼルである
ことを特徴とする請求項１に記載の外側サブアセンブリー（１００）。
【請求項１６】
前記第１の部品（１）は、ケース中間部又はケース中間部に付加された環状体であり、
前記第２の部品（１０）は、竜頭である
ことを特徴とする請求項１に記載の外側サブアセンブリー（１００）。
【請求項１７】
前記第３の部品（３０）は、前記反発手段を形成している
ことを特徴とする請求項２に記載の外側サブアセンブリー（１００）。
【請求項１８】
請求項１に記載の外側サブアセンブリー（１００）を有する
ことを特徴とする腕時計（１０００）。
【請求項１９】
請求項１に記載の外側サブアセンブリー（１００）を有する
ことを特徴とする装飾品。
【発明の詳細な説明】
【技術分野】
【０００１】
本発明は、計時器、腕時計又は装飾品のための外側サブアセンブリーとして知られているサブアセンブリーに関し、第１の裾部から突き出ており第１の凹部と交互構成になっているリム部を有する第１の部品と、及び第２の裾部から突き出ており第２の凹部と交互構成になっているウィング部を有する第２の部品とを有し、当該外側サブアセンブリーは、挿入前の分解された第１の位置と、及び組み立てられロックされた第２の位置とを占めるように構成しており、前記第１の位置においては、前記第１の部品と第２の部品は、互いに対して第１の角度的な向きを有し、前記第２の位置においては、前記第１の部品と前記第２の部品は、互いに対して前記第１の角度的な向きと異なる第２の角度的な向きを有し、かつ、少なくとも２つの前記リム部と少なくとも２つの前記ウィング部の間でバヨネット取り付けによって軸方向に保持される。
【０００２】
本発明は、さらに、前記のような外側サブアセンブリーを有する計時器、特に、腕時計に関する。
【０００３】
本発明は、さらに、前記のようなサブアセンブリーを有する装飾品に関する。
【０００４】
本発明は、腕時計の外側部品の分野及び装飾品の分野に関する。
【背景技術】
【０００５】
腕時計や同様なデバイスの外側部品には、特に、密封性、堅牢性及び外観についての、多くの制約があり、あらゆる不適切な分解も防ぐように設計されていなければならない。これには、販売後の作業によって、ガスケットを変えたり、クリーニング、潤滑又は修理などを行ったりすることが必要となる。
【０００６】
また、外側部品や制御部品によっては、互いに対して角度的にインデクシングされることが必要であり、これによって、元の基準位置（休んだ位置又は作動した位置）を把握したり、インジケーション又は目盛の読み取りを促進したり、飛んだ面及び／又は装飾の連続性を確実にしたりする。しばしば、部品を適切にクランプすることやガスケットによって完全に密封することとともに、この角度的なインデクシングを成功裡に達成することは難しい。
【発明の概要】
【発明が解決しようとする課題】
【０００７】
本発明は、正確な位置調整のための容易に調整可能な角度的インデクシングを実現しつつ、密封されセキュアな外側部品のアセンブリーを達成することを目的とする。
【課題を解決するための手段】
【０００８】
このために、本発明は、請求項１に記載の計時器用の外側サブアセンブリーに関する。
【０００９】
本発明は、さらに、前記のような外側サブアセンブリーを有する計時器に関する。
【００１０】
本発明は、さらに、前記のようなサブアセンブリーを有する装飾品に関する。
【００１１】
添付図面を参照しながら下記の詳細な説明を読むことで、本発明の他の特徴及び利点を理解することができるであろう。
【図面の簡単な説明】
【００１２】
【図１】少なくとも１つの弾性変形可能な領域があるリング状の要素の形態である本発明に係る部品の特定の変種についての上側からの概略斜視図である。この弾性変形可能な領域は、ここでは凹んだリリーフである。このリングは、第３の部品を形成しており、この第３の部品は、バヨネット構成で互いに固定されるように構成している第１の部品と第２の部品の間に挿入されるように構成している。
【図２】突き出ている弾性変形可能な領域がある同様なリングの底面図である。
【図３】本発明に係る外側サブアセンブリーについての主軸を通り抜ける概略断面図である。この外側サブアセンブリーは、ケース中間部である第１の部品を有し、このケース中間部の下には、ケース裏部である第２の部品があり、この第１の部品と第２の部品どうしは、バヨネット構成で固定されており、一方では、密封性ガスケットをグリップしており、他方では、図１のリングをグリップしている。このリングは、ここでは第１の部品の溝内に収容されており第２の部品の止めハウジング内にて角度的に止められている。この止めハウジングを断面が通り抜けている。
【図４】図３と同様な形態で、同じサブアセンブリーについて、ここでは第２の部品に設けられた２つの止めハウジングの間における、リングの弾性変形可能な領域及び第１の部品の溝に形成された隆起を通り抜けている別の断面の断面図を示している。
【図５】特定の変種についての図４と同様な形態の同じ断面の断面図であり、この特定の変種においては、第１の部品の溝が軸対称であり、この第１の部品が、リングの弾性変形可能な領域のインデクシング位置において止めを形成している押し込みピンを有する。
【図６】別の変種における、主軸に垂直であり第１の部品の溝の中央にある平面における部分断面図であり、この溝は、ノッチの構成を有し、リングは、一連のいくつかの弾性変形可能な領域を有する。
【図７】前記のようなサブアセンブリーを有する腕時計についての概略下面図である。この腕時計において、ケース中間部は、第１の部品を形成しており、ケース裏部は、第２の部品を形成している。
【図８】前記のようなサブアセンブリーを有する腕時計についての概略平面図である。この腕時計において、ケース中間部は、第１の部品を形成しており、ベゼルは、第２の部品を形成している。
【図９】前記のようなサブアセンブリーを有する腕時計についての概略平面図である。この腕時計において、ケース中間部に固定された環状体は、第１の部品を形成しており、竜頭は、第２の部品を形成している。
【発明を実施するための形態】
【００１３】
本発明は、角度的インデクシングを容易に調整可能であり、部品の数が減少している、密封されセキュアな外側部品のアセンブリーを達成することを提案するものである。
【００１４】
本発明は、計時器、特に、腕時計、又は装飾品のための外側サブアセンブリー１００に関し、この外側サブアセンブリー１００は、第１の裾部６から突き出ており第１の凹部と交互構成になっているリム部２を有する第１の部品１と、及び第２の裾部１１から突き出ており第２の凹部と交互構成になっているウィング部１２を有する第２の部品１０とを有する。
【００１５】
概括的な用語である「外側」サブアセンブリーは、一般的には時計技術においてのみ用いられる用語であるが、ここでは計時器と装飾品の両方に対して用いる。装飾品の場合には、このサブアセンブリーは、装飾品の構造、基本構造に付加される要素、又はいくつかの基本的又はあらかじめ組み立てられた部品の任意のアセンブリー、又は装飾品全体に関連することがあることを理解することができるであろう。
【００１６】
この外側サブアセンブリー１００は、挿入前の分解された第１の位置から、組み立てられロックされた第２の位置へと変わるように構成している。
【００１７】
挿入前の分解された第１の位置において、第１の部品１と第２の部品１０は、互いに対して第１の角度的な向きを有する。
【００１８】
第１の部品１と第２の部品１０の間のインタフェースに配置された反発手段を有する特定の変種（これに制限されない）において、これらの第１の部品１と第２の部品１０は、磁気的反発手段及び／又は少なくとも１つの弾性要素及び／又は少なくとも１つの密封性ガスケット９を有する反発手段によって、互いから離れるように維持される傾向がある。挿入前の分解された第１の位置から組み立てられロックされた第２の位置への変化は、以下のようなオペレーターによって与えられる力の作用の下で達成される。すなわち、反発手段の抵抗力を克服し第１の部品１と第２の部品１０を接触させる軸方向の力、及びそれらを角度的インデクシング位置にするトルクである。
【００１９】
組み立てられロックされた第２の位置において、第１の部品１と第２の部品１０は、互いに対して、第１の角度的な向きとは異なる第２の角度的な向きを有する。反発手段を有する特定の変種において、第１の部品１と第２の部品１０は、反発手段によって与えられる抵抗力に対抗するように、バヨネット取り付けによって軸方向にて保持される。このバヨネット取り付けは、少なくとも２つのリム部２と少なくとも２つのウィング部１２の間にてオペレーターによって与えられる軸方向の力とトルク力を与えることによって実現される。
【００２０】
バヨネット取り付けによる、特に軸方向Ｄのまわりの、第１の部品１と第２の部品１０の接合は、可逆的であり、これら部品を分解することが可能である。本発明によると、従来技術から完全に離れて、この分解には、オペレーターの側で、組み立て時に与えられる力と同様な力を必要とし、この分解には、好ましくは、周部のノッチ、穴などと連係する特殊工具の使用を必要とし、取り扱いの誤りや特定の外部の物理的因子によっては分解されない。
【００２１】
反発手段を有する特定の変種、特に、図３〜５に示した変種（これに制限されない）において、外側サブアセンブリー１００は、第１の部品１と第２の部品１０の間に少なくとも１つの密封用ガスケット９を有する。同じ変種において、第１の部品１は、第１の裾部６から半径方向内側に突き出ているリム部２を有し、これらのリム部２は、第１の凹部と交互構成になっている。第２の部品１０は、第２の裾部１１から半径方向外側に突き出ているウィング部１２を有し、これらのウィング部１２は、第２の凹部と交互構成になっている。外側サブアセンブリー１００は、軸方向Ｄのまわりの相対的な回転運動を伴う少なくとも２つのリム部２と少なくとも２つのウィング部１２の間のバヨネット取り付けによる第１の部品１と第２の部品１０の可逆的な接合によって、分解された位置から密封用ガスケット９を圧縮する組み立てられた位置へと変わるように構成している。密封用ガスケット９の軸方向の圧縮は、非常に伝統的なものであるが、本発明によって、さらに、前記のようなガスケットの半径方向の圧縮によって組み立てが容易になる。なお、ここで半径方向に突き出ているリム部及びウィング部を有する特定の変種に基づいて本発明を説明していることを理解することができるであろう。また、本発明は、軸方向及び半径方向の構成が逆になっている他の変種にも適用可能である。
【００２２】
本発明によると、このサブアセンブリー１００は、リング状の少なくとも第３の部品３０を有し、この第３の部品３０は、第１の部品１と第２の部品１０の間に、特に、図示した変種においては半径方向に、挿入される。この第３の部品３０は、特に、リング３１を有する。すなわち、薄いリングを有し、これは、必ずしも閉じておらず、少なくとも第１の部品１又は第２の部品１０に形成された溝１３１内に収容されるように構成している。具体的には、本発明を一方向のベゼルに用いる特定の場合におけるように、このリング３１は、一方向の操作のみを容易に可能にするために、ラチェットと同様な区画を有する。このようなリングは、例えば、長く薄く、実質的に丸まった断面を有し、又は断面が矩形である。
【００２３】
具体的には、このリング３１は、弾性的であり、特に、ばねワイヤー、鋼製ワイヤーで作られ、又はスタンピング又は成型によって作られ、弾性材料又は同様な材料にされる。
【００２４】
この第３の部品３０は、第１の部品１又は第２の部品１０に対する少なくとも１つの回転止め３３、３４を有する。
【００２５】
第３の部品３０は、さらに、少なくとも１つの弾性領域３２を有している。これは、図１の変種においては、半径方向に凹んでおり、図２の変種においては、半径方向に突き出ており、溝内へと進む平面において、角度的インデクシング及びロック構成を形成して、突起１３２又はハウジングと連係するように構成しており、この突起１３２又はハウジングは、第３の部品３０に対して自由に回転することができる第１の部品１又は第２の部品１０に形成されている。この弾性領域３２は、バヨネット機構が半径方向の延長部分に基づいている図示した変種において、半径方向のリリーフ領域であり、弾性領域３２は、アセンブリー機構において軸方向のリリーフを介して連係を行う別のアプリケーションにおいては、軸方向のリリーフ領域であることができる。
【００２６】
図５に示す変種において、この突起１３２は、溝１３１内に付加される。この場合に、溝１３１が、軸Ｄのまわりに回転されて機械加工される。具体的には、この突起１３２は、ピン２３２などによって形成され、これは、単に、第１の部品１に形成された単純なドリル穴２３１に入れ込むだけでよい。
【００２７】
突起３２が付加的要素である場合に、このピンは最も単純な形態であるが、ダブテール取り付けのような他の変種を除外するものではない。変種の１つにおいて、突起１３２自身が弾性であることができ、例えば、アモルファス金属で作られる。
【００２８】
図３及び４に示す別の変種において、溝１３１は、輪郭削り、射出などによって作られ、直接突起１３２を有し、又は逆の変種においてハウジングがある。
【００２９】
具体的には、この第３の部品３０は、第１の部品１又は第２の部品１０に対して回転するように固定され、弾性領域３２は、第１の部品１と第２の部品１０の間のあらゆる相対的な接線方向のトルクに対抗するような可変モーメントの抵抗トルクを与える。
【００３０】
突起１３２又はハウジングが弾性領域３２を通過するときには、第１の部品１と第２の部品１０の間の相対的な回転運動に抵抗する傾向がある抵抗トルクが必ず発生する。
【００３１】
第１の部品１と第２の部品１０の間の相対的な角度的インデクシングのために、少なくとも１つの弾性領域３２が配置されている。
【００３２】
具体的には、図３〜５に示す変種において、第２の部品１０には、第３の部品３０に形成され回転止め３３、３４を形成している少なくとも１つの足部用止めハウジング１３３又は１３４がある。具体的には、図に示すように、第３の部品３０は、２つの対応する止めハウジング１３３、１３４と連係するように構成している２つの回転止め３３及び３４を有する。
【００３３】
これらの足部は、アセンブリーに対して剛性を与える。
【００３４】
図１は、２つの回転止め３３及び３４がリング３１の平面に垂直であるような変種を示している。当然、他の形を採用することは可能であり、特に、リング３１の平面内における半径方向の止めを備えることなどができる。
【００３５】
特に、この直前の変種において、２つの止めハウジング１３３及び１３４の間の空間を張っていない状態の回転止め３３及び３４の間の空間とは異なるようにして、リング３１に応力を与えるようにすることができる。すなわち、張っていない状態のリング３１の輪郭が弾性領域３２を例外として環状である場合に、前記応力は、張っている状態においてリング３１を楕円状にする。これにおいて、溝１３１の一部において摩擦が発生して、第２の部品１０に対して第１の部品１を制動する。このことは、特に、メンテナンスのための分解の際に、有用であることがある。
【００３６】
張っていない状態のリング３１の形が楕円形、波状形、マルチローブ状の環のような特定の形であることによっても、同様な結果を達成することができる。
【００３７】
溝１３１を担持している部品及び／又はリング３１に適用される表面処理によって、摩擦面を達成することができ、このことによって、いずれの不適切な分解にも抗するのに役立つことを証明することができる。この場合、ユーザーは、工具、好ましくは、特殊工具、を用いて、第１の部品と第２の部品の間の相対的な回転を与え、領域３２のメイン抵抗しきい値を越える。これは、抵抗性摩擦力に対して与えられる。
【００３８】
特に、図６に示すように、第３の部品３０には、少なくとも１つの弾性変形可能な領域において、対向している部品が備える相補的なリリーフ１８に対抗するような連続性の抵抗を与えるように構成している複数の弾性領域３２がある。これは、例えば、ノッチの構成などであり、一連のハウジングによって構成していることができる。
【００３９】
また、特に、図６に示すように、同じ弾性変形可能な領域において、前記のような相補的なリリーフ１８に対抗する抵抗を増加させるように、連続的な弾性領域３２が設けられている。特定の有利な形態において、オペレーターによって与えられるインデクシング位置への回転運動時に、前記のような一連の弾性領域３２及び／又は相補的なリリーフ１８が、増加している抵抗性トルクを与えるように構成している。例えば、突出部などにおいて増加している。
【００４０】
したがって、リング３１と、突起１３２又は溝１３１の輪郭（場合による）との間の相対的なリリーフが、抵抗性トルクが特定のインデクシング位置に対応する最大値にあるような範囲の位置に到着する前の第１の部品と第２の部品の間の相対的な回転時に、強い段階的制動を達成することが可能である。前記のようなノッチ構成によって、サブアセンブリーの不適切な分解から保護することもできる。
【００４１】
当然、第１の部品１が止めハウジング１３３又は１３４を担持しており、第２の部品１０が突起１３２を有している構成などの逆のアセンブリーも達成可能である。しかし、詳細に説明しない。当業者であれば転換することは容易であるからである。
【００４２】
具体的には、図１及び２に示すように、リング３１は、開いており、したがって、リングの自由な張っていない状態において２つの自由端を有する。上記のように、この特色によって、特に、リングの張りを、容易にすることができる。
【００４３】
なお、密封用ガスケットが不必要な場合、第３の部品３０は、反発手段を形成することができる。これは、特に、平坦ではなく波状などの形態のリング３１である。
【００４４】
図７に示す有利なアプリケーション（これに限定されない）において、第１の部品１は、ケース中間部であり、第２の部品１０は、ケース裏部である。特定の変種において、少なくとも１つの密封用ガスケットの存在が必要である。図示していない変種の１つにおいて、第１の部品１は、ケース裏部であり、第２の部品１０は、ケース裏部に付加されたメダル状のような装飾要素である。この場合には、第１の部品１と第２の部品１０の間にガスケットの必要はなく、ばね又はリング３１自身が存在することによって、反発手段を有する変種において完全に十分であることがある。
【００４５】
なお、この点に関して、本発明を、前記のような反発手段なしで実装することができ、特に、外側部品などのためのアプリケーションのために実装することができる。
【００４６】
別のアプリケーションにおいて、図８に示すように、第１の部品１は、ケース中間部であり、第２の部品１０は、フランジ又はベゼルである。この場合は、磁気反発によって又は弾性要素によって、第１の部品と第２の部品が互いから離れる傾向があるような変種に良好に適合する。この弾性要素は、例えば、リング、すなわち、薄いリングであり、必ずしも閉じておらず、又は特に、ラチェットと同様な区画を有するリングである。これによって、本発明を一方向のベゼルに用いる特定の場合のように、一方向の動作のみが容易に可能になる。前記のようなリングは、実質的に丸みがある断面、矩形断面などを有する長く薄いものである。あるいは、特定の変種において、前記リングは、単に、反発手段を形成する実際の第３の部品３０であり、これによって、必要な保持を非常に満足的に確実にしつつ、部品の数を相当に減らす。この場合、リング３１は、第１の部品１と第２の部品１０の両方の間のインデクシングのための主平面におけるリリーフと、及びサブアセンブリー１００の軸方向における別のリリーフとの両方を有して、前記のような反発手段を形成することができる。
【００４７】
図９に示すように、さらなる別のアプリケーションでは、第１の部品１は、ケース中間部又はケース中間部に付加された環状体であり、第２の部品１０は、竜頭である。変種の１つにおいて、第２の部品１０は、巻きステム又は押し部品である。これらの場合においても、少なくとも１つの密封用ガスケットの存在は必須である。
【００４８】
第１の部品と第３の部品、及び第２の部品と第３の部品によって２つずつ形成された材料の対を選択することによって、特に、これらの部品のいくつかが表面処理の適用に起因する摩擦面を有する場合に、同じ幾何学的構成で異なる摩擦特性を得ることができる。これによって、抵抗力を変えることができる。このことは、特に、不注意な分解から保護するために役立つ。リード３１は、特に、衝撃を受けたときに力が吸収されることを確実にし、さらに、部品の面を保護する。このことは、例えば、部品の少なくとも１つがセラミックスで作られている場合に、有利である。このときに、リングは、好ましいことに、少なくとも部分的にアモルファスな金属、「Liquidmetal(c)」などで作られている。
【００４９】
本発明は、時計技術における多くのアプリケーションに適している。例えば、ダイバー用の腕時計におけるヘリウム弁、又は腕輪、ストラップ、バックル、クラスプのような外側部品のために、適している。同じことは、装飾品にも当てはまり、カフスリンクやイアリングを閉じるためのもの、宝石を固定するためのもの、取り外し可能なように構成している装飾要素にも当てはまる。
【００５０】
本発明は、さらに、前記のような外側サブアセンブリー１００を有する計時器、特に、腕時計１０００、に関する。
【００５１】
本発明は、さらに、前記のような計時器サブアセンブリー１００を有する装飾品に関する。
【００５２】
このように、本発明によって、ユーザーによる誤用などによる、サブアセンブリー１００のいずれの不適切であったり不注意であったりする分解も防ぐ。例えば、振動、連続的な膨張サイクルの影響の下での分解である。
【００５３】
本発明の重要な利点は、単純な容易に達成可能な機械加工操作しか必要とせず、このために腕時計を汚したり汚染したりすることを避けることができ、また、適度なコストしかかからないことである。
【００５４】
また、本発明によって、サービス位置に保持され固定された部品の完全な向き合わせが確実になる。
【００５５】
また、本発明によって、膨張、摩擦、弾性又は他の応力なしで、ねじのような外部の固定要素を必要とせずに、また、セラミックス、サファイアのような特定の材料を弱めがちなねじ山や機械加工を行わずに、異なる種類の材料で作られた対向する部品どうしが連係することが可能になる。本発明は、振動による偶発的な又は意図的な緩みに対して、又はシャピュイタイプの衝撃に対して、非常に良好な抵抗を与える。また、本発明は、部品の互換性を確実にし、そして、結果的に、ユーザーに対する腕時計や装飾品のカスタム化が改善されることを確実にする。
【００５６】
貴重な材料によって作られた腕時計又は装飾品にも、特に、プラスチック材料又は同様な材料によって作られた、単価が安い部品を有する大量生産された製品にも、本発明を同様に適用することができる。
【００５７】
本発明は、サブアセンブリー１００が備える部品１及び部品１０が、膨脹係数が異なっていたり、標準的な固定方法を用いることができない脆い材料又は硬い材料（セラミックス、サファイア、高貴な石、宝石、カメオ）であったりする、異なる材料によって作られている場合にも良好に適合する。引用することができる伝統的な構成としては、サファイアのケース裏部に対する金製のケース中間部のアセンブリー、又は全体がセラミックスによって作られたケース、金属−セラミックスの組み合わせなどがある。このように、部品１及び１０は、以下のようなあらゆる種類の材料で作ることができる。すなわち、時計技術と装飾品において用いられる材料のみを挙げると、金属合金、特に、貴金属の合金又は等級が付された合金、ステンレス鋼、少なくとも部分的にアモルファスな金属合金、又はLiquidmetal(c)など、セラミックス、サファイア、鉱物、硬石、ゴム、プラスチック材料、特に、ＴＰＥとして知られている熱可塑性エラストマー、特に、ＴＰＵとして知られている熱可塑性ポリウレタン、ＰＣとして知られているポリカーボネート、ＰＶＣとして知られているポリ塩化ビニル、ポリアセタール、ＰＯＭとして知られているポリオキシメチレン、シリコーン、ナイロン（登録商標）である。なお、これらに限定されない。
【符号の説明】
【００５８】
１  第１の部品
２  リム部
６  第１の裾部
９  密封用ガスケット
１０  第２の部品
１１  第２の裾部
１２  ウィング部
１８  相補的なリリーフ
３０  第３の部品
３１  リング状の要素
３２  弾性領域
３３、３４  回転止め
１００  外側サブアセンブリー
１３１  溝
１３２  突起
１０００  腕時計
１３３、１３４  止めハウジング
Ｄ  軸
【図１】
2018017725.tif 000003
【図２】
2018017725.tif 000004
【図３】
2018017725.tif 000005
【図４】
2018017725.tif 000006
【図５】
2018017725.tif 000007
【図６】
2018017725.tif 000008
【図７】
2018017725.tif 000009
【図８】
2018017725.tif 000010
【図９】
2018017725.tif 000011